【手続補正書】
【提出日】令和3年6月17日(2021.6.17)
【手続補正１】
【補正対象書類名】特許請求の範囲
【補正対象項目名】全文
【補正方法】変更
【補正の内容】
【特許請求の範囲】
【請求項１】
画像を生成するための装置であって、前記装置は、
異なる視点からのシーンを表すある数の３次元画像であって、それぞれがメッシュとテクスチャマップとを含むある数の３次元画像を含む画像信号を受け取るための受信機であって、前記画像信号は、さらに、前記ある数の３次元画像の前記異なる視点と異なる第１の視点のための複数の残留データテクスチャマップを含み、前記複数の残留データテクスチャマップのうちの第１の残留データテクスチャマップは、前記ある数の３次元画像のうちの第１の３次元画像のテクスチャマップである第１の基準テクスチャマップの前記第１の視点への視点移動の結果として生じるテクスチャマップに対して相対的に、前記第１の視点のためのテクスチャマップに残留データを提供し、前記複数の残留データテクスチャマップのうちの第２の残留データテクスチャマップは、前記ある数の３次元画像のうちの第２の３次元画像のテクスチャマップである第２の基準テクスチャマップの前記第１の視点への視点移動の結果として生じるテクスチャマップに対して相対的に、前記第１の視点のためのテクスチャマップに残留データを提供し、前記画像信号は、前記第１の視点のための完全なテクスチャマップを含まない、受信機と、
前記ある数の３次元画像のうちの第１の３次元画像のメッシュである第１の基準メッシュから、前記第１の視点のための第１のメッシュを生成し、前記ある数の３次元画像のうちの第２の３次元画像のメッシュである第２の基準メッシュから、前記第１の視点のための第２のメッシュを生成するためのメッシュプロセッサと、
前記第１の３次元画像の視点から前記第１の視点への前記第１の基準テクスチャマップの視点変換に応答して、第１の中間テクスチャマップを生成し、前記第２の３次元画像の視点から前記第１の視点への前記第２の基準テクスチャマップの視点変換に応答して、第２の中間テクスチャマップを生成するための第１のテクスチャプロセッサと、
前記第１の中間テクスチャマップと前記第１の残留データテクスチャマップとの組合せに応答して、前記第１の視点のための第１のテクスチャマップを生成し、前記第２の中間テクスチャマップと前記第２の残留データテクスチャマップとの組合せに応答して、前記第１の視点のための第２のテクスチャマップを生成するための第２のテクスチャプロセッサと、
前記第１のテクスチャマップと前記第１のメッシュと前記第２のテクスチャマップと前記第２のメッシュとから、前記第１の視点と異なり、且つ、前記ある数の３次元画像の前記異なる視点と異なる第２の視点のための２次元画像を生成するための画像生成器と、
を備える、装置。
【請求項２】
前記画像信号は、さらに、前記第１の基準メッシュに関して、前記第１の視点のためのメッシュに対するメッシュ残留データを含み、前記メッシュプロセッサは、前記メッシュ残留データと前記第１の基準メッシュとに応答して、前記第１のメッシュを生成する、請求項１に記載の装置。
【請求項３】
前記メッシュ残留データは、前記第１の視点のための前記メッシュの頂点の部分集合のみのための残留データを含む、請求項２に記載の装置。
【請求項４】
前記画像信号は、前記第１の視点のためのメッシュデータを含まない、請求項１に記載の装置。
【請求項５】
前記画像信号は、メッシュ生成制御データを含み、前記メッシュプロセッサは、前記メッシュ生成制御データに応答して、第１のメッシュを生成する、請求項１から４のいずれか一項に記載の装置。
【請求項６】
前記画像信号は、前記複数の残留データテクスチャマップにリンクされた３次元画像を示すメタデータを含む、請求項１から５のいずれか一項に記載の装置。
【請求項７】
前記画像生成器は、第１のテクスチャマップと前記第１のメッシュとに応答して、前記第２の視点のための第１の中間画像を生成し、追加的な視点のための追加的なテクスチャマップと追加的なメッシュとに応答して、前記第２の視点のための第２の中間画像を生成し、前記第１の中間画像と前記第２の中間画像とを組み合わせることによって、前記画像を生成する、請求項１から６に記載のいずれか一項に記載の装置。
【請求項８】
前記画像生成器は、前記第１の視点から前記第２の視点への視点変換に応答して、前記第１のテクスチャマップと前記第１のメッシュとに基づき、第２の視点のための第１の中間画像を生成し、前記第１の視点から前記第２の視点への視点変換に応答して、前記第２のテクスチャマップと前記第２のメッシュとに基づき、第２の視点のための第２の中間画像を生成し、前記第１の中間画像と前記第２の中間画像とを組み合わせることによって、前記画像を生成する、請求項１に記載の装置。
【請求項９】
前記画像生成器は、前記第１の３次元画像と前記第２の３次元画像とのうちの少なくとも一方の視点と関連付けられた遮蔽データに応答して、前記第１の中間画像と前記第２の中間画像とを組み合わせる、請求項８に記載の装置。
【請求項１０】
前記画像生成器は、前記第１のテクスチャマップと前記第２のテクスチャマップとを前記第１の視点のための第３のテクスチャマップに組み合わせ、前記第１のメッシュと前記第２のメッシュとを前記第１の視点のための第３のメッシュに組み合わせ、前記第３のテクスチャマップと前記第３のメッシュとに基づき、前記第１の視点から前記第２の視点への視点変換に応答して前記画像を生成する、請求項１に記載の装置。
【請求項１１】
画像信号を生成するための装置であって、前記装置は、
異なる視点からのシーンを表すある数の３次元画像であって、それぞれがメッシュとテクスチャマップとを含むある数の３次元画像を受け取り、前記ある数の３次元画像の前記異なる視点と異なる第１の視点のための第１のテクスチャマップを受け取るための受信機と、
前記ある数の３次元画像のうちの第１の３次元画像から前記第１の視点への第１の基準テクスチャマップの視点変換に応答して、第１の中間テクスチャマップを生成し、前記ある数の３次元画像のうちの第２の３次元画像から前記第１の視点への第２の基準テクスチャマップの視点変換に応答して、第２の中間テクスチャマップを生成するためのビュー移動プロセッサと、
前記第１の中間テクスチャマップと前記第１のテクスチャマップとの比較に応答して、第１の残留データテクスチャマップを生成し、前記第２の中間テクスチャマップと前記第１のテクスチャマップとの比較に応答して、第２の残留データテクスチャマップを生成する残留プロセッサであって、前記第１の残留データテクスチャマップは、前記第１の中間テクスチャマップと前記第１のテクスチャマップとの差を示し、前記第２の残留データテクスチャマップは、前記第２の中間テクスチャマップと前記第１のテクスチャマップとの差を示す、残留プロセッサと、
前記ある数の３次元画像と前記第１の残留データテクスチャマップと前記第２の残留データテクスチャマップとを含むが前記第１のテクスチャマップは含まない画像信号を生成するための信号生成器と、
を備える、装置。
【請求項１２】
画像を生成する方法であって、前記方法は、
異なる視点からのシーンを表しそれぞれがメッシュとテクスチャマップとを含むある数の３次元画像を含む画像信号を受け取るステップであって、前記画像信号は、さらに、前記ある数の３次元画像の前記異なる視点と異なる第１の視点のための複数の残留データテクスチャマップを含み、前記複数の残留データテクスチャマップのうちの第１の残留データテクスチャマップは、前記ある数の３次元画像のうちの第１の３次元画像のテクスチャマップである第１の基準テクスチャマップの前記第１の視点への視点移動の結果として生じるテクスチャマップに対して相対的に、前記第１の視点のためのテクスチャマップに残留データを提供し、前記複数の残留データテクスチャマップのうちの第２の残留データテクスチャマップは、前記ある数の３次元画像のうちの第２の３次元画像のテクスチャマップである第２の基準テクスチャマップの前記第１の視点への視点移動の結果として生じるテクスチャマップに対して相対的に、前記第１の視点のためのテクスチャマップに残留データを提供し、前記画像信号は、前記第１の視点のための完全なテクスチャマップを含まない、受け取るステップと、
前記ある数の３次元画像のうちの第１の３次元画像のメッシュである第１の基準メッシュから、前記第１の視点のための第１のメッシュを生成し、前記ある数の３次元画像のうちの第２の３次元画像のメッシュである第２の基準メッシュから、前記第１の視点のための第２のメッシュを生成するステップと、
前記第１の３次元画像の視点から前記第１の視点への前記第１の基準テクスチャマップの視点変換に応答して、第１の中間テクスチャマップを生成し、前記第２の３次元画像の視点から前記第１の視点への前記第２の基準テクスチャマップの視点変換に応答して、第２の中間テクスチャマップを生成するステップと、
前記第１の中間テクスチャマップと前記第１の残留データテクスチャマップとの組合せに応答して、前記第１の視点のための第１のテクスチャマップを生成し、前記第２の中間テクスチャマップと前記第２の残留データテクスチャマップとの組合せに応答して、前記第１の視点のための第２のテクスチャマップを生成するステップと、
前記第１のテクスチャマップと前記第１のメッシュと前記第２のテクスチャマップと前記第２のメッシュとから、前記第１の視点と異なり、且つ、前記ある数の３次元画像の前記異なる視点と異なる第２の視点のための２次元画像を生成するステップと、
を有する、方法。
【請求項１３】
画像信号を生成する方法であって、前記方法は、
異なる視点からのシーンを表すある数の３次元画像であって、それぞれがメッシュとテクスチャマップとを含むある数の３次元画像を受け取り、前記ある数の３次元画像の前記異なる視点と異なる第１の視点のための第１のテクスチャマップを受け取るステップと、
前記ある数の３次元画像のうちの第１の３次元画像から前記第１の視点への第１の基準テクスチャマップの視点変換に応答して第１の中間テクスチャマップを生成し、前記ある数の３次元画像のうちの第２の３次元画像から前記第１の視点への第２の基準テクスチャマップの視点変換に応答して第２の中間テクスチャマップを生成するステップと、
前記第１の中間テクスチャマップと前記第１のテクスチャマップとの比較に応答して第１の残留データテクスチャマップを生成し、前記第２の中間テクスチャマップと前記第１のテクスチャマップとの比較に応答して第２の残留データテクスチャマップを生成するステップであって、前記第１の残留データテクスチャマップは、前記第１の中間テクスチャマップと前記第１のテクスチャマップとの差を示し、前記第２の残留データテクスチャマップは、前記第２の中間テクスチャマップと前記第１のテクスチャマップとの差を示す、ステップと、
前記ある数の３次元画像と前記第１の残留データテクスチャマップと前記第２の残留データテクスチャマップとを含むが前記第１のテクスチャマップは含まない画像信号を生成するステップと、
を有する、方法。